(57)【特許請求の範囲】
【請求項１】
内側に亀頭を収容して亀頭を膨脹させる減圧部材と；
身体の上体を取り囲むベルトと、該ベルトに連結され、減圧部材の高低調節ができるように垂直に一定の長さに形成される高さ調節板とを含む着用部材と；
前記減圧部材を前記着用部材と連結して前記高さ調節板に結合することで前記減圧部材と着用部材を連結する連結部材をと；含むことを特徴とする、男性用陰茎固定装置。
【請求項２】
陰茎が挿入可能な形状を持ち、挿入された陰茎の下側を支持するベース部材と；
長さ調節が可能であり、一端が前記ベース部材に締結される垂直部材と；
内側に亀頭を収容して膨脹させ、前記垂直部材の他端が締結されることにより該垂直部材に支持される減圧部材と；
を含むことを特徴とする、男性用陰茎固定装置。
【請求項３】
陰茎が挿入可能な形状を持ち、挿入された陰茎の下側を支持するベース部材と；
長さ調節が可能であり、一端が前記ベース部材に締結される垂直部材と；
内側に亀頭を収容して膨脹させ、前記垂直部材の他端が締結されることにより前記垂直部材に支持される減圧部材と；
上体を取り囲むベルトと、前記ベルトに連結され、前記減圧部材の高低調節が可能になるように垂直に一定の長さに形成される高さ調節板とを含む着用部材と；
前記減圧部材を連結して前記高さ調節板に結合することで前記減圧部材と着用部材を連結する連結部材と；
を含むことを特徴とする、男性用陰茎固定装置。
【請求項４】
前記減圧部材は、
内側に亀頭が収容される減圧本体と；
弾性材でなり、前記減圧本体の入口で内外側にかけて折り畳まれて陰茎を弾支する弾性折畳部と；
長手方向の棒状を持ち、内側にスプリングが収容されて、下側から挿入される垂直部材を弾支する支持棒と；
前記減圧本体を中心に両側に伸びて前記支持棒と前記減圧本体の間を連結する本体連結部と；
前記減圧本体の内側空気を排出させる吸気バルブと；
を含むことを特徴とする、請求項１〜３のいずれか１項に記載の男性用陰茎矯正装置。
【請求項５】
前記本体連結部は前記減圧本体と一体的に形成され、末端で前記支持棒が挿入される結合溝を含み、
前記支持棒は外面から突出して伸びて前記結合溝に着脱可能に挿入される挿入フランジを含むことを特徴とする、請求項４に記載の男性用陰茎矯正装置。
【請求項６】
前記ベース部材は、
湾曲した形状を持ち、前記陰茎の外側を支持する湾曲部と；
前記湾曲部から伸び、互いに対向する両端に突起が形成された支持突起と；
前記湾曲部と前記支持突起の間で上側に突出し、内側に前記垂直部材の末端が挿入される結合孔を含む結合部と；
前記湾曲部の上側で上向きに突出して前記陰茎を支持する上部突出片と；
を含むことを特徴とする、請求項２または３に記載の男性用陰茎矯正装置。
【請求項７】
前記垂直部材は、
一端が前記ベース部材に挿入され、他端が長手方向に伸びるベース結合棒と；
前記ベース結合棒の他端が内側に挿入されて移動可能に締結され、上面に少なくとも一つ以上の固定孔が形成された挿入棒と；
一側で前記挿入棒が長さ調節可能に内側に挿入されて固定され、他側が前記減圧部材に挿入される収容棒と；
を含むことを特徴とする、請求項２または３に記載の男性用陰茎矯正装置。
【請求項８】
前記ベース結合棒は、
外面に突出した係止突起を含み、前記ベース部材に挿入されるベース挿入棒と；
前記ベース挿入棒の他側から伸び、外面にネジ部が形成され、前記収容棒と螺合される延長ネジ棒と；
前記延長ネジ棒の外周面に固定されて回転することで前記延長ネジ棒を回転させて前記ベース結合棒の長さを調節する回転取っ手と；
を含むことを特徴とする、請求項７に記載の男性用陰茎矯正装置。
【請求項９】
前記垂直部材は、前記収容棒が挿入されて移動可能になるように貫設され、前記支持棒に締結されるネジ部が形成された内面と前記内面から伸びる係止突起とを含む締結部をさらに含み、
前記収容棒は、他端で螺合され、前記締結部の貫通直径より大きな幅を持ち、前記係止突起にかかる係止部、及び前記挿入棒が内側に挿入され、外面に前記固定リングが締結される突出ネジ部が形成された一端を含むことを特徴とする、請求項７に記載の男性用陰茎矯正装置。
【請求項１０】
前記垂直部材は、前記収容棒の外周面に前記固定孔を通じて締結されることで前記収容棒と挿入棒を固定させる挿入固定部をさらに含み、
前記挿入固定部は、前記収容棒の外周面に固定される固定リング、及び前記固定リングによって前記挿入棒の固定孔を通じて締結されることで前記収容棒と前記挿入棒を固定させる固定ネジを含むことを特徴とする、請求項７に記載の男性用陰茎矯正装置。
【請求項１１】
前記連結部材は、
前記減圧部材に固定される連結線と；
前記連結線と前記着用部材に連結され、弾性復元力を提供する弾性連結部と；
を含むことを特徴とする、請求項１または３に記載の男性用陰茎固定装置。
【請求項１２】
前記高さ調節板は上下に多数貫設された係合孔を含み、前記連結部材が前記係合孔のいずれか一つに選択的にかかることにより高低調節が可能になることを特徴とする、請求項１または３に記載の男性用陰茎固定装置。
【発明の詳細な説明】
【技術分野】
【０００１】
本発明は男性用陰茎矯正装置に係り、より詳しくは陰茎のサイズを増やし、曲がった陰茎を矯正することができ、亀頭の敏感度を落とすことで早漏症を治癒することができる男性用陰茎矯正装置に関する。
【背景技術】
【０００２】
陰茎は性交のための男性の性器であるとともに尿道の一部を取り囲む円柱状の勃起性組職であって、外部を成す一対の陰茎海綿体と内部に一つの尿道海綿体とを持ち、終端に陰茎亀頭が備えられている。
【０００３】
このような陰茎は、心理的または肉体的刺激によって多量の血液が陰茎の内部に流入して陰茎海綿体が拡張することにより性生活を可能にする。正常な心理的または肉体的刺激を受けても勃起不全のような性機能障害があって正常の性生活を営むことができなければ、泌尿器科の内外科的手術によって正常な性機能を維持するようにしている。
【０００４】
また、陰茎はその形状において長手方向に真っ直ぐに形成されることが好ましいが、一方に曲がるか撓んでいる陰茎を持つことができる。この場合、外科的手術よりもその形状を矯正することができる矯正装置が必要であるが、このような製品が発売されていない。
【０００５】
一方、陰茎のサイズが小さな陰茎矮小症の場合には、心理的な萎縮感とともに正常な性生活ができなくなる原因となっているため、多くの男性が高費用で補助機器または外科的手術によって陰茎のサイズを拡大している実情である。
【０００６】
このような従来の湾曲症を治療するための矯正装置はアメリカ特許公報ＵＳ７２７６０４０（２００７．１０．２日付で登録）に開示されているように、男性の陰茎を固定角度で支持するために、陰茎の末端の反対側に嵌合する嵌合部材を備え、両側の嵌合部材の間を伸ばすことで陰茎が曲がることを矯正する装置が提案されたが、このような装置は単に曲がった陰茎を矯正するための装置であるばかり、矮小症や早漏症を克服するための構成や効果はない。
【０００７】
また、前記のような従来技術は多数の部属が結合されて延長部材を形成することになっているので、紛失のおそれが高く、多くの部材のいずれか一つが紛失されれば、この装置を使うことができなくなるため、管理が難しく、ひいてはその長さ調節の際に両側にそれぞれ連結して使わなければならないため操作が煩わしい。
【０００８】
また、ドイツ特許公報ＤＥ１６６１８８号に開示された技術を見れば、尿道を真っ直ぐにすることで、曲がった男性陰茎の排尿時の痛症を治療する装置について言及している。ところで、このような技術は、男性陰茎のサイズや長さによってその陰茎を正確に支持することができるように作られただけ、矮小症を克服するための装置は備えられていなく、排尿の際の苦痛を除去するために湾曲症の治癒を目的として使用されたもので、陰茎の勃起の前後に対する矯正機能がない。したがって、この装置によっては湾曲症の外には効用がないため、矮小症や早漏症を治療するためには別途の外科診療または別途の装置を要するが、これは使用者に経済的な負担を与える。
【０００９】
また、従来の技術は亀頭を延長部材によって支持して固定するために、亀頭収容部材を備えているが、亀頭収容部材が亀頭の縁部と全体的に接触し、接触部位も広いため、使用過程中に亀頭の縁部に傷をつけることができる問題がある。
【００１０】
また、従来技術は、二つの延長部材と、前記二つの延長部材によって支持される亀頭収容部材と、延長部材を支持するベース部材とをいつも同時に着用しなければならない不便さがあり、全体構成を着用すると言っても、着用後に性器の位置や方向が固定されないため、着用後に常生活が不便な問題点がある。
【００１１】
また、従来の陰茎矯正装置は、前記延長部材を下部で支持するために、陰茎胴体と下側の楕円形の基礎部材をさらに含んでおり、前記基礎部材は陰茎が挿入された状態で前記延長部材を陰茎の下側で支持することになる。この際、前記基礎部材は陰茎の下側で表皮を取り囲むので、その一部が陰茎と睾丸の間に位置する。したがって、従来には着用したままで立っているときは、楕円形の基礎部材内に陰茎を挿入して着用し、座れば基礎部材が睾丸に触れて加圧して痛いか、あるいは睾丸が基礎部材内にはいるため、座るか立つことが不便である。
【００１２】
また、従来には亀頭を固定するに際して、亀頭のサイズが小さい場合、抜けやすくて継続して固定することが難しいが、亀頭矮小症、陰茎伸張や湾曲症を治癒するためには一定時間以内の持続的な牽引が必須条件である。しかし、従来の技術は亀頭の全体を固定することができないので、亀頭のサイズが小さなものは抜けやすく、継続的な亀頭上部の摩擦によって亀頭に炎症が発生することができ、基礎部材が固定されているため、着用して運動することが困難な問題点がある。
【００１３】
このような従来技術の特徴はヨーロッパ特許でも明らかにしたように陰茎湾曲症や陰茎伸張に有効なもので、早漏症治癒、勃起力強化、亀頭拡大のような症状に対する改善の余地は不足なもので、このような症状を治癒するためには、付加の処方や他の医療用補助器具が付け加えられなければならない問題がある。
【先行技術文献】
【特許文献】
【００１４】
【特許文献１】米国特許公報７２７６０４０号
【特許文献２】独国特許公報１６６１８８号
【発明の概要】
【発明が解決しようとする課題】
【００１５】
本発明は前記のような従来の問題点を解決するためになされたもので、
【００１６】
本発明の目的は、陰茎の牽引（Ｔｒａｃｔｉｏｎ）による陰茎の形状に対する矯正とサイズを拡大させるための構成を簡素化して管理及び紛失の危険がなく、過度な牽引または緩さが発生しても着用した状態で長さ調整が可能な男性用陰茎矯正装置を提供することにある。
【００１７】
また、本発明の目的は、男性用亀頭を収容して減圧させる部材を身体の一部分に着用された部材で支持し、内側に収容される亀頭のサイズに構わずに減圧し、弾性力を用いて入口部分を段差となるようにして、使用者が意図しない離脱を防止することができる男性用陰茎矯正装置を提供することにある。
【００１８】
また、本発明のさらに他の目的は、持続的な牽引によって陰茎胴体に伸張力を加え、真空状態で亀頭を膨脹させるので、陰茎湾曲症、早漏症、矮小症の治癒、及び伸張が可能であり、このような伸張と減圧によって血管、神経、組職に刺激を与えて血液循環を促進するので、勃起力を高めることができる男性用陰茎矯正装置を提供することにある。
【００１９】
また、本発明のさらに他の目的は、身体の一部に着用されて陰茎を固定させる着用部材と、亀頭を収容する減圧本体と、前記減圧本体を支持する垂直部材との中で選択的に一つを選択するか、あるいは着用部材と減圧本体または減圧本体と垂直部材、あるいはこれら三つの構成をすべて使用して着用する方法の中で使用者が選択的に必要によって選択することができるので、商品性を高めることができる男性用陰茎矯正装置を提供することにある。
【００２０】
また、本発明のさらに他の目的は、亀頭を収容して減圧する構成は弾性力を持って折り畳まれる構成を用いて、着脱の容易さを提供し、使用過程で亀頭の傷を防止することができるのでその安全度を高めることができる男性用陰茎矯正装置を提供することにある。
【００２１】
また、本発明のさらに他の目的は、亀頭を収容する減圧本体の形状を亀頭の形状と同一にして亀頭が容易に支持されるようにし、拡大の際に亀頭の解剖学的形状を維持するようにして亀頭の形状変形を防止することができる男性用陰茎矯正装置を提供することにある。
【００２２】
本発明のさらに他の目的は、陰茎矯正装置において伸張力を加える垂直部材を支持するベース部材を楕円形に構成し、全部が連結されないで一部が開放するようにして、陰茎と睾丸の間に位置しないようにすることで、前記ベース部材と睾丸が接触しなくて着用中に活動が可能な男性用陰茎矯正装置を提供することにある。
【課題を解決するための手段】
【００２３】
本発明は前記のような目的を達成するために、下記のような実施例を含む。
【００２４】
本発明の一実施例による男性用陰茎固定装置は、内側に亀頭を収容して亀頭を膨脹させる減圧部材と；身体の上体を取り囲むベルトと、該ベルトに連結され、減圧部材の高低調節ができるように垂直に一定の長さに形成される高さ調節板とを含む着用部材と；前記減圧部材を前記着用部材と連結して前記高さ調節板に結合することで前記減圧部材と着用部材を連結する連結部材をと；含むことを特徴とする。
【００２５】
本発明の他の実施例による男性用陰茎固定装置は、陰茎が挿入可能な形状を持ち、挿入された陰茎の下側を支持するベース部材と；長さ調節が可能であり、一端が前記ベース部材に締結される垂直部材と；内側に亀頭を収容して膨脹させ、前記垂直部材の他端が締結されることにより該垂直部材に支持される減圧部材と；を含むことを特徴とする。
【００２６】
本発明のさらに他の実施例による男性用陰茎固定装置は、陰茎が挿入可能な形状を持ち、挿入された陰茎の下側を支持するベース部材と；長さ調節が可能であり、一端が前記ベース部材に締結される垂直部材と；内側に亀頭を収容して膨脹させ、前記垂直部材の他端が締結されることにより前記垂直部材に支持される減圧部材と；上体を取り囲むベルトと、前記ベルトに連結され、前記減圧部材の高低調節が可能になるように垂直に一定の長さに形成される高さ調節板とを含む着用部材と；前記減圧部材を連結して前記高さ調節板に結合することで前記減圧部材と着用部材を連結する連結部材と；を含むことを特徴とする。
【００２７】
本発明のさらに他の実施例によれば、本発明による男性用陰茎固定装置において、前記減圧部材は、内側に亀頭が収容される減圧本体と；弾性材でなり、前記減圧本体の入口で内外側にかけて折り畳まれて陰茎を弾支する弾性折畳部と；長手方向の棒状を持ち、内側にスプリングが収容されて、下側から挿入される垂直部材を弾支する支持棒と；前記減圧本体を中心に両側に伸びて前記支持棒と前記減圧本体の間を連結する本体連結部と；前記減圧本体の内側空気を排出させる吸気バルブと；を含むことを特徴とする。
【００２８】
本発明のさらに他の実施例によれば、本発明による男性用陰茎固定装置において、前記本体連結部は前記減圧本体と一体的に形成され、末端で前記支持棒が挿入される結合溝を含み、前記支持棒は外面から突出して伸びて前記結合溝に着脱可能に挿入される挿入フランジを含むことを特徴とする。
【００２９】
本発明のさらに他の実施例によれば、本発明による男性用陰茎固定装置において、前記ベース部材は、湾曲した形状を持ち、前記陰茎の外側を支持する湾曲部と；前記湾曲部から伸び、互いに対向する両端に突起が形成された支持突起と；前記湾曲部と前記支持突起の間で上側に突出し、内側に前記垂直部材の末端が挿入される結合孔を含む結合部と；前記湾曲部の上側で上向きに突出して前記陰茎を支持する上部突出片と；を含むことを特徴とする。
【００３０】
本発明のさらに他の実施例によれば、本発明による男性用陰茎固定装置において、前記垂直部材は、一端が前記ベース部材に挿入され、他端が長手方向に伸びるベース結合棒と；前記ベース結合棒の他端が内側に挿入されて移動可能に締結され、上面に少なくとも一つ以上の固定孔が形成された挿入棒と；一側で前記挿入棒が長さ調節可能に内側に挿入されて固定され、他側が前記減圧部材に挿入される収容棒と；を含むことを特徴とする。
【００３１】
本発明のさらに他の実施例によれば、本発明による男性用陰茎固定装置において、前記ベース結合棒は、外面に突出した係止突起を含み、前記ベース部材に挿入されるベース挿入棒と；前記ベース挿入棒の他側から伸び、外面にネジ部が形成され、前記収容棒と螺合される延長ネジ棒と；前記延長ネジ棒の外周面に固定されて回転することで前記延長ネジ棒を回転させて前記ベース結合棒の長さを調節する回転取っ手と；を含むことを特徴とする。
【００３２】
本発明のさらに他の実施例によれば、本発明による男性用陰茎固定装置において、前記垂直部材は、前記収容棒が挿入されて移動可能になるように貫設され、前記支持棒に締結されるネジ部が形成された内面と前記内面から伸びる係止突起とを含む締結部をさらに含み、前記収容棒は、他端で螺合され、前記締結部の貫通直径より大きな幅を持ち、前記係止突起にかかる係止部、及び前記挿入棒が内側に挿入され、外面に前記固定リングが締結される突出ネジ部が形成された一端を含むことを特徴とする。
【００３３】
本発明のさらに他の実施例によれば、本発明による男性用陰茎固定装置において、前記垂直部材は、前記収容棒の外周面に前記固定孔を通じて締結されることで前記収容棒と挿入棒を固定させる挿入固定部をさらに含み、前記挿入固定部は、前記収容棒の外周面に固定される固定リング、及び前記固定リングによって前記挿入棒の固定孔を通じて締結されることで前記収容棒と前記挿入棒を固定させる固定ネジを含むことを特徴とする。
【００３４】
本発明のさらに他の実施例によれば、本発明による男性用陰茎固定装置において、前記連結部材は、前記減圧部材に固定される連結線と；前記連結線と前記着用部材に連結され、弾性復元力を提供する弾性連結部と；を含むことを特徴とする。
【００３５】
本発明のさらに他の実施例によれば、本発明による男性用陰茎固定装置において、前記高さ調節板は上下に多数貫設された係合孔を含み、前記連結部材が前記係合孔のいずれか一つに選択的にかかることにより高低調節が可能になることを特徴とする。
【発明の効果】
【００３６】
本発明による男性陰茎の矯正装置は、一方向に真っ直ぐに伸びて弾性力によって折り畳まれ、その長さの変動及び固定が可能なので、陰茎の湾曲症及び矮小症の治療の可能な効果があり、真空による亀頭の拡大効果及び亀頭の感覚を鈍化させることによる早漏症及び矮小症に対する治療効果がある。
【００３７】
本発明は、垂直部材と着用部材による伸張力と減圧部材による減圧または真空によって湾曲症、矮小症、早漏症を同時に治癒することができ、持続的な着用で陰茎の組職、血管、神経に刺激を与えて血液循環を向上させるので、勃起力が向上する効果がある。
【００３８】
本発明は、着用部材と垂直部材のいずれか一方または両側を用いて陰茎を矯正することができるので、いずれか一つが紛失されると言っても、他の構成を用いて使用することが可能であり、状況によって使用者が選択的に各構成を組み合わせて使うので、使用上の便宜をはかることができる効果がある。
【００３９】
本発明は、着用部材によって陰茎を矯正するので、上体の動きによって牽引されるさまざまな力で陰茎を運動させて前立腺炎の予防と治療に効果的である。
【００４０】
本発明は支持棒と減圧本体を脱着式にして減圧本体と着用部材を使うこともでき、減圧本体、ベース部材、垂直部材を全体的に使用者が必要によって選択することもできるので、商品性を高めることができる効果がある。
【００４１】
本発明は硬質材で構成された減圧本体に収容された亀頭を弾性力を持つ折畳式構成によって支持することができるので、拡大された亀頭が引き出される場合にも傷なしに容易に引き出される効果がある。
【００４２】
本発明は亀頭の形状と一致する形状を持つ減圧本体を備えることにより、減圧されて膨らんだ亀頭を解剖学的形状を維持するように支持して亀頭の変形を防止する効果がある。
【００４３】
本発明は亀頭が挿入される減圧部材にシリコンを用いた弾性部材を備えることにより、挿入が容易であり、亀頭のサイズに構わずに前記弾性部材による段差を形成するので、意図しない離脱が防止され、減圧後に拡大された亀頭を離脱させるときにも痛症なしに易しく離脱させることができるので、使用者に使用上の便宜を提供することができる。
【００４４】
本発明は男性の陰茎に矯正装置を着用し、上体や首などの身体の一部分にかかる手段を用いて陰茎の矯正装置を固定させるので、着用後の活動が可能であり、矯正中に装置が陰茎を離脱することを防止することができる。
【図面の簡単な説明】
【００４５】
【図１】本発明による男性用陰茎矯正装置を示す平面図である。
【図２】本発明による男性用陰茎矯正装置の減圧部材を示す側面図である。
【図３】本発明による男性用陰茎矯正装置の減圧部材の弾性折畳部の使用状態を示す側面図である。
【図４】本発明による男性用陰茎矯正装置の減圧部材の弾性折畳部の使用状態を示す側面図である。
【図５】本発明による男性用陰茎矯正装置の減圧部材の弾性折畳部の使用状態を示す側面図である。
【図６】本発明による男性用陰茎矯正装置の本体連結部と支持棒の結合関係を示す部分斜視図である。
【図７】本発明による男性用陰茎矯正装置のベース部材を示す斜視図である。
【図８】本発明による男性用陰茎矯正装置のベース部材の平面図である。
【図９】本発明による男性用陰茎矯正装置の垂直部材を示す分解斜視図である。
【図１０】本発明による男性用陰茎矯正装置において、図１のＡ部を拡大した断面図である。
【図１１】本発明による男性用陰茎矯正装置の挿入固定部の断面を示す断面図である。
【図１２】本発明による男性用陰茎矯正装置の挿入固定部の断面を示す断面図である。ある。
【図１３】本発明による男性用陰茎矯正装置の挿入棒の断面を示す断面図である。
【図１４】本発明による男性用陰茎矯正装置の着用部材の使用状態を示す正面図である。
【図１５】本発明による男性用陰茎矯正装置の着用部材の使用状態を示す背面図である。
【図１６】本発明による男性用陰茎矯正装置の他の実施例で、収容棒の他の実施例を示す断面図である。
【発明を実施するための形態】
【００４６】
以下、本発明による男性用陰茎矯正装置の好適な実施例を添付図面に基づいて詳細に説明する。
【００４７】
図１は本発明による男性用陰茎矯正装置を示す平面図である。
【００４８】
図１を参照すれば、本発明による男性用陰茎矯正装置は、陰茎の下端を支持するベース部材１０と、前記ベース部材１０に連結されて伸縮する垂直部材２０と、前記垂直部材２０に固定され、陰茎の亀頭部分を収容して減圧する減圧部材３０と、前記減圧部材３０に連結され、身体の一部分に固定されるように連結される連結部材４０とを含む。
【００４９】
前記ベース部材１０は、使用者の身体下側で睾丸の上側に位置し、挿入された陰茎を支持する。ここで、前記ベース部材１０は全体的な形状が一側が開放した楕円形に製作され、使用者が座ってから起きる場合に前記ベース部材１０が睾丸にぶつかるか睾丸に圧力をかけないように一部が開放した楕円形に形成される。
【００５０】
前記垂直部材２０は少なくとも一つ以上の棒が多段に接続され、テレスコープ方式で伸縮して長さが調節可能なので、前記減圧部材３０及び前記ベース部材１０に締結されて陰茎の長さを伸ばすように力を加える。
【００５１】
前記減圧部材３０は前記垂直部材２０に固定され、内部の圧力を真空にして収容された陰茎の亀頭２を膨脹させるので、敏感度を鈍化させて早漏症を治療することが可能である。同時に、前記減圧部材３０は真空状態で亀頭２を拡大させることになる。
【００５２】
さらに、図１には示されていないが、本発明は、前記減圧部材３０に固定されることにより前記垂直部材２０と減圧部材３０を使用者の身体に固定させることができるように、上体に着用する着用部材５０をさらに含み、これは下記の図１４及び図１５を参照して後述する。ここで、前記減圧部材３０は前記垂直部材２０と着用部材５０の両側または一方にだけ支持されることができるので、使用者の選択による着用が可能である。前記減圧部材３０は図１及び図２に基づいて詳細に説明する。
【００５３】
図２は本発明による男性用陰茎矯正装置の減圧部材を示す側面図である。
【００５４】
図２を参照すれば、前記減圧部材３０は、陰茎の亀頭を収容してその内部を減圧することで、収容された亀頭を膨脹させる減圧本体３１と、前記減圧本体３１の両側で減圧本体を支持する支持棒３２と、前記支持棒３２と前記減圧本体３１を連結する本体連結部３３と、前記減圧本体３１の入口を弾性的に絞る弾性折畳部３４と、前記減圧本体３１の先端で減圧本体の内側に空気を流入させて減圧本体内側の真空状態を解除させる吸気バルブと３５を含む。
【００５５】
前記減圧本体３１は、好ましくは陰茎の亀頭２と一致する解剖学的形状を持ち、真空状態で吸入圧力によって拡大される亀頭が変形されないようにするために硬質材で射出成形される。ここで、前記減圧本体３１は、開口される入口を形成するように射出成形された周縁部３１１を含む。減圧本体３１に収容される亀頭はオイルやその他のローションなどが塗られて挿入されることが好ましい。
【００５６】
前記周縁部３１１は前記減圧本体３１の下端外周面にわたって環状に形成され、下記の弾性折畳部３４を支持するように開放した入口の外周面に伸びて前記減圧本体３１の入口を形成する。
【００５７】
前記弾性折畳部３４は、弾性材料、例えばシリコンバンドで製作される。一定の厚さと長さを持つシリコンバンドはその一端３４１が前記周縁部３１１の外周面にその外周面を「Ｕ」字形に取り囲むように固定され、この一端から伸びて全体的に一つのシリコンバンドが前記減圧本体３１の内外側にかけて多数回折り畳まれる中間部３４２を形成し、他端３４３は中間部の下端折曲部の外側まで伸びる。これは後に図３〜図５を参照して説明する。
【００５８】
図３〜図５は本発明による男性用陰茎矯正装置の減圧部材の弾性折畳部の使用状態を示す側面図である。
【００５９】
図３を参照すれば、前記弾性折畳部３４は、前述したように、前記減圧本体３１の周縁部３１１に一端３４１が固定され、中間部３４２が減圧本体の入口内側にターンアップ及びターンダウンされて折り畳まれた状態で他端３４３が前記一端３４１の下側に位置する。すなわち、弾性折畳部３４はその一端３４１及び他端３４３が前記減圧本体入口の外側に位置し、中間部３４２はターンアップ、ターンダウンで折りたたんだ状態で減圧本体入口の内側に位置する。
【００６０】
ここで、前記弾性折畳部３４のターンアップ及びターンダウンされる中間部はその折り畳まれた状態で前記周縁部３１１に固定されるもので、亀頭２が減圧本体３１内に引き込まれる場合、弾性折畳部が折り畳まれた状態で前記亀頭２を支持する。この際、引き込まれる亀頭２は弾性力を持つ前記弾性折畳部３４によって支持されるので、傷なしに引き込まれる。亀頭２は前記減圧本体３１の収容された空間より直径の小さい硬い周縁部３１１にかかって前記減圧本体３１内に収容され、亀頭２と陰茎胴体１の間の段差部が弾性折畳部３４のターンダウン端部と最小限に接触して、過多接触による亀頭の傷が防止できる。
【００６１】
亀頭が減圧本体内に挿入された状態で、吸気バルブ３５を備えた空気吸入装置（図示せず）によって減圧本体３１の内側空気を外部に排出させれば減圧本体の内部が真空状態になり、それにより亀頭２は真空状態で拡大される。一方、この過程で亀頭は、前述したように硬質材で亀頭２と一致する形状に形成された前記減圧本体３１によって支持されるので、亀頭が拡大されてもその亀頭形状が変形されない。
【００６２】
前記減圧本体３１に収容された亀頭２は、減圧本体３１の内側にターンダウンされた段差をなす弾性折畳部にかかるので、意図に反して減圧本体から抜けないが、亀頭を意図的に減圧本体から引き出そうとする場合には、陰茎の本体１が前記弾性折畳部３４の中間部のターンダウン内周面に触れ合っている状態を維持しながら引き出される。すなわち、亀頭は弾性折畳部の互いにスリップ可能に触れ合っているターンアップブ及びターンダウンブがスリップしてその触れ合った部分の長さが減るように弾性変形されることにより、陰茎に傷が生じないで容易に引き出すことができる。一方、亀頭２を前記減圧本体３１に収容するときにオイルやローションを塗ることが好ましい。
【００６３】
これを図４を参照してより詳細に説明すれば、前記減圧本体３１は、前記吸気バルブ３５が開放すれば、内側に空気が流入して真空状態が解除される。その後、使用者が亀頭２を引き出せば、前記弾性折畳部３４は前述したように折り畳まれた中間部３４２が前記減圧本体３１内に収容された前記陰茎胴体を支持しながら折り畳まれた状態で反対方向に移動するので、折り畳まれた中間部３４２がスリップしてひろがることになる。これは図５に示すようである。
【００６４】
図５を参照すれば、前記亀頭２は前記減圧本体３１から抜け出ると、前記周縁部３１１によって形成される段差部を通過する時に前記弾性折畳部３４が折り畳まれた状態で前記亀頭２の移動とともに開けられながら弾支されるので、大きな傷なしに容易に引き出されることができる。
【００６５】
一方、本体連結部３３は所定の厚さを持つ平面状に形成され、前記減圧本体３１と一体型に射出形成されて前記支持棒３２の外面に結合されることで、前記支持棒３２と前記減圧本体３１の間を連結する。本体連結部３３は、前記連結部材４０の連結線４２が締結される連結締結孔３３１と、前記本体連結部の両端で「Ｔ」字形に形成された結合溝３３２とを含む。ここで、前記結合溝３３２は「Ｔ」字形を一例として示したが、円形またはその他の形状に製作することも可能である。
【００６６】
前記連結締結孔３３１は前記本体連結部３３において前記減圧本体３１を中心に左右側にそれぞれ貫設され、前記連結部材４０の連結線４２がこの貫通孔に締結される。したがって、前記連結締結孔３３１に連結線４２の一端が締結され連結線の他端が身体の一部に支持されることにより、前記減圧部材３０及び前記垂直部材２０を使用者の身体上に一定方向に向かうように固定することができる。
【００６７】
前記結合溝３３２は前記本体連結部３３の両端で「Ｔ」字形に上側から下側に伸び、下端を通じて挿入フランジ３２３が挿入されるかまたは引き出される。ここで、前記結合溝３３２は支持棒の内部に収容されるスプリング３２１の弾性によってその結合溝と挿入フランジが互いに遊動することを防止するためにその上側が閉鎖され、下側を開放させることで、前記挿入フランジ３２３を前記結合溝３３２の下端を通じて着脱できるようにすることが好ましい。したがって、前記支持棒３２は使用者の必要によって前記本体連結部３３から分離可能である。
【００６８】
つぎに、前記結合溝３３２と挿入フランジ３２３の結合構造を図６を参照して説明する。
【００６９】
図６は本発明による男性用陰茎矯正装置において本体連結部と支持棒の結合関係を示す斜視図である。
【００７０】
図６を参照すれば、前記支持棒３２は棒状のもので、前記減圧本体３１を中心に前記本体連結部３３によって減圧本体３１に連結されて前記減圧本体３１を支持する。このために、前記支持棒３２はその内側の空間に前記垂直部材２０の伸張によって弾性的に長さが伸縮するように内側に収容されるスプリング３２１と、下側から挿入される前記垂直部材２０と螺合される支持結合部３２２と、前記結合溝３３２に着脱可能に突設される挿入フランジ３２３とを含む。
【００７１】
ここで、前記支持棒３２は前記支持結合部３２２を通じて前記締結部２５と着脱式で結合されることができるので、垂直部材２０なしに前記着用部材５０と減圧部材３０のみを組み合わせるか、あるいは垂直部材２０と減圧部材３０、ベース部材１０、連結部材４０の組合せによる陰茎矯正が可能となる。
【００７２】
前記スプリング３２１は前記支持棒３２の内面に収容され、下側から挿入される前記収容棒２３を弾支する。これは、前記垂直部材２０によって一定の長さで固定され、前記減圧本体３１に亀頭２が収容された状態で外部の振動または陰茎の勃起によってその長さが変化する場合、前記垂直部材２０の長さを変化させることができるように弾支することにより、垂直部材が急に伸縮しても陰茎に加わる力または圧力を弾性的に吸収して陰茎に一定の牽引力を提供する。
【００７３】
前記挿入フランジ３２３は前記支持棒３２の外面から突出するフランジで、その末端に「Ｔ」字形に上側から下側に伸びるフランジとして形成される。前記挿入フランジ３２３は前記結合溝３３２の開放した下側を通じて挿合され、前記結合溝３３２の閉鎖した上端によって挿入移動が阻止されて支持される。したがって、前記支持棒３２は使用者の必要によって前記本体連結部３３から分離可能である（図６参照）。
【００７４】
前記吸気バルブ３５は前記減圧本体３１の上部に備えられ、外部の空気を流入させるかまたは内部空気を流出させる。前記吸気バルブ３５は、前記減圧本体３１に亀頭が収容されれば、空気を流出させて内部を真空状態に維持し、開放すれば、外部の空気が前記減圧本体３１に流入して真空状態を解除する。ここで、前記吸気バルブ３５はその構成が既に知られた周知の「ブハン」（腫れ物の膿や悪い血などを吸い取るために吸い瓢を肌に密着させる医療器具）と類似し、前記ブハンに使用される空気吸入装置（図示せず）が結合されて前記減圧本体の内部空気を外部に引き出す。
【００７５】
前記ベース部材１０は一体型に形成される射出物で、人体に無害な合成素材で製作され、陰茎の下端部分、つまり男性の下体において睾丸の上側から始まる陰茎の根部を支持することになり、これは図７及び図８に示すようである。
【００７６】
図７は本発明による男性用陰茎矯正装置のベース部材を示す斜視図、図８は本発明による男性用陰茎矯正装置のベース部材の平面図である。
【００７７】
図７及び図８を参照すれば、前記ベース部材１０は陰茎の外周の形状と一致するように湾曲した形状を持つ周縁部として形成される湾曲部１４と、前記湾曲部１４の上側に突出して前記陰茎の上側を支持する上部突出片１２と、前記湾曲部１４から両側に水平方向に内側に曲がった形状を持つ水平部１５と、前記水平部１５の上側に突出し、前記垂直部材２０が締結される結合部１３と、前記水平部１５から一定の傾斜角で下向きに伸びるように両端から突設される支持突起１１とを含む。
【００７８】
前記支持突起１１はその間に空間を持ち、二つが互いに対向する位置で円形の突起を形成することになる。このような前記支持突起１１は前記湾曲部１４を通じて挿入される陰茎１を下部で支持することになり、両支持突起１１の間に空間を形成するため、本発明による陰茎矯正装置を着用した後に活動するかあるいはその着用時間が長くなる場合にも痛症が生じない。さらに、前記支持突起１１は、前記矯正装置を着用するとき、その支持突起１１の間が開放して、その間に陰茎を入れることで、陰茎と前記ベース部材が互いに接触しないようにする。
【００７９】
前記湾曲部１４は上側にふくらんでいる環状のもので、陰茎の外周形状と一致するように湾曲した形状を持っており、前記支持突起１１から一定空間を間に置いて離隔するように形成される。したがって、陰茎は前記湾曲部１４と支持突起１１の間に挿入されることにより、下側では前記支持突起１１によって支持され、上側では前記湾曲部１４によって支持される。
【００８０】
前記上部突出片１２は前記湾曲部１４の上面から上向きに突出したもので、一定の幅を持つ前面と後面を持ち、前記湾曲部１４と支持突起１１の間に安着された陰茎の上部外被を支持する。
【００８１】
前記水平部１５は前記湾曲部１４の下向端の地点で前記湾曲部１４に比べて垂直方向に高さが一定した状態で水平を維持することで、陰茎を安定して着用できるようにする。ここで、前記水平部１５は、好ましくは前記湾曲部１４が横方向に伸びることと異なって垂直方向に伸び、陰茎の両側面の形状と一致するように伸びることが好ましい。
【００８２】
前記結合部１３は前記水平部１５の上面から上向きに突出し、内側には後述するベース結合棒２１が挿入される結合孔１３１が形成されている。前記結合部１３はベース部材の左右両側で前記湾曲部１４から伸びる両側の水平部１５ごとに突設される。
【００８３】
前記傾斜部１６は前記水平部１５から下向きに斜めに伸び、陰茎の外面形状と一致するように伸びる。
【００８４】
前記支持突起１１は前記傾斜部１６の末端で互いに対向する位置で互いに一定の間隔で離隔したままで円形の突起形状を持つように形成される。ここで、前記支持突起１１は楕円形に形成された前記ベース部材１０において一定の空間をおいて開放した区間を介在して両側の傾斜部１６の末端にそれぞれ形成されている。
【００８５】
もし前記ベース部材１０が前記のように支持突起１１の間に開放した空間が形成されずに閉鎖した楕円形に連結されたベース部材を備えた矯正装置を使用者が着用すれば、楕円形のベース部材が睾丸を取り囲んで加圧することになるので、座るか立ち上がる過程で睾丸が痛くなる。
【００８６】
しかし、本発明によるベース部材１０は、睾丸の下側に位置する両側支持突起１１の間が開放することにより、使用者が座るとか立つとかするとき、睾丸と前記ベース部材１０が接触しなくなるので、着用後の歩行や活動が可能である。
【００８７】
つぎに、前記垂直部材を図１及び図９〜図１３を参照して説明する。
【００８８】
図９は本発明による男性用陰茎矯正装置の垂直部材を示す分解斜視図、図１０は図１のＡ部を拡大した断面図、図１１及び図１２は挿入固定部の断面図、図１３は挿入棒の断面図である。
【００８９】
垂直部材は、前記ベース部材１０に締結されるベース結合棒２１と、一端が前記ベース結合棒に締結され、他端が前記支持棒内に引込及び引出可能な挿入棒２２と、前記挿入棒の他端側に外挿されて前記挿入棒２２を収容する収容棒２３と、前記収容棒２３の先端で前記減圧部材３０に締結される締結部２４と、前記収容棒２３と挿入棒２２を固定させる挿入固定部２５とを含む。
【００９０】
前記ベース結合棒２１は、前記挿入棒２２の内側に挿入され、上下に移動して長さを伸ばす延長ネジ棒２１２と、前記ベース部材１０に挿入されるベース挿入棒２１３と、前記延長ネジ棒２１２の伸びた長さを調節する回転取っ手２１１とを含む。
【００９１】
前記ベース挿入棒２１３は前記ベース部材１０の結合孔１３１に挿入され、外面に突出した係止突起２１４によって回転可能になるように固定される。したがって、前記ベース挿入棒２１３は前記回転取っ手２１１の回転時に回転するが、前記係止突起にかかることにより、外部に引き出されることなしに元の位置で回転するので外部に引き出されない。
【００９２】
前記延長ネジ棒２１２は前記ベース挿入棒２１３の他側で外面にネジ部が形成され、前記挿入棒２２の内面に形成されたネジ部に締結されるので、前記挿入棒２２との連結長を伸ばすかまたは縮めることができる。
【００９３】
前記回転取っ手２１１は前記延長ネジ棒２１２の外周面に固定されるノブであり、このノブを回転することで前記延長ネジ棒２１２に回転力を伝達する。したがって、前記回転取っ手２１１の回転方向によって前記延長ネジ棒２１２が前記挿入棒２２の内側に形成されたネジ部に締結されて回転するので、長さを短縮させるか離脱して長さを伸ばすことになる。この際、前記ベース挿入棒２１３は前記結合孔１３１にネジ締結なしに挿入されて前記係止突起２１４によって固定されるので、前記回転取っ手２１１の回転にもかかわらず元の位置で回転するが、前記延長ネジ棒２１２は前記回転取っ手２１１の回転時に連動して、前記挿入棒２２の内面に形成されたネジ部に沿って回転するので、前記挿入棒２２の内側に挿入されるかあるいは引き出される。
【００９４】
前記挿入棒２２は、内側に前記延長ネジ棒２１２と螺合するようにネジ部が形成され、前記挿入固定部２５が締結されるように前記挿入棒２２の外周面で貫設された多数の固定孔２２１と、前記挿入棒２２の外面の両側から突出した挿入突起２２２とを含む。前記収容棒２３は図１０及び図１３を参照して説明する。
【００９５】
前記固定孔２２１は前記挿入棒２２の外周面に長手方向に沿って一定の間隔で多数配列されたもので、後述する挿入固定部２５の固定ネジ２５１が前記収容棒２３を通じて締結される。ここで、前記固定孔２２１は前記挿入固定部２５１のネジが締結されることにより前記収容棒２３と挿入棒２２を締結させ、締結位置によって前記挿入棒２２の長さが決定される。
【００９６】
前記挿入突起２２２は前記挿入棒２２の外面から突出する突起で、前記挿入固定部２５の内面に締結されて前記挿入棒２２の回転を防止し、その具体的作用は下記の挿入固定部２５の説明で後述する。
【００９７】
前記収容棒２３は一側に前記挿入棒２２の他端が挿入され、他側では前記支持棒３２の内側に挿入される棒状に形成され、前記他端では前記締結部２４の内周面にかかる係止部２３２が形成されることにより、前記締結部２４から離脱することが防止される。ここで、前記収容棒２３は前記締結部２４の内周面に沿って上下に移動可能であるが、まったく離脱しないように上端で前記締結部２４の内周面から突設される係止突起２４１（図１０参照）にかかるように前記係止部２３２（図１０参照）を含んである。
【００９８】
さらに、前記収容棒２３は、一側外周面に突出して、前記挿入固定部２５の内面に締結される突出ネジ部２３１をさらに含む。
【００９９】
前記突出ネジ部２３１は前記収容棒２３の末端で内側に前記挿入棒２２が挿入される収容棒２３の末端外面に突設されて、前記挿入固定部２５の収容孔２５５に形成されたネジ部に締結される。
【０１００】
前記挿入固定部２５は、前記収容棒の外面に締結される固定リング２５２と、前記固定リング２５２の内側に形成され、前記突出ネジ部２３１とかみ合って前記収容棒２３を結合させるネジ部が形成された収容孔２５５と、前記固定リング２５２の内側で前記収容孔２５５と連通するように貫設され、前記挿入棒２２が挿入されて上下に移動可能になるようにする内面２５４と、前記内面２５４で内側に陷沒され、前記挿入突起２２２が定着してスライドするようにするスライド溝２５３と、前記固定リング２５２の外面に挿入されて前記挿入棒２２の固定孔２２１を通じて締結させる固定ネジ２５１とを含む。
【０１０１】
前記固定リング２５２は前記収容棒２３の突出ネジ部２３１が内側の収容孔２５５に締結されることにより前記収容棒２３の末端に締結される。そして、前記挿入棒２２は前記内面２５４を通じて前記収容棒２３の内側に挿入される。この際、前記挿入固定部の内面２５４に形成されたスライド溝２５３に前記挿入突起２２２が締結される。したがって、前記挿入棒２２は前記固定リング２５２の内面２５４に沿って、前記挿入突起２２２とスライド溝２５３によってガイドされるので、回転せずに直線方向にだけ移動する。そして、前記固定ネジ２５１は前記固定リング２５２の外面を通じて前記固定孔２２１に締結されることにより、前記挿入棒２２の挿入長を固定させる。
【０１０２】
ここで、前記スライド溝２５３と挿入突起２２２は直線状に伸びて互いに締結されるので、前記固定ネジ２５１が挿入されて固定される前、あるいは固定ネジ２５１が解除された後であっても、前記挿入棒２２が回転しない。さらに、前記挿入棒２２は前記挿入突起２２２とスライド溝２５３によって回転しないので、前記固定ネジ２５１を前記固定孔２２１と互いに一致させることが非常に容易である。
【０１０３】
したがって、使用者は自分の陰茎の長さによって前記挿入棒２２を収容棒２３の内側に挿入するかあるいは引き出せて距離を調節することで、適当な長さに当たる長さで前記固定ネジ２５１を前記挿入棒２２の固定孔２２１に挿入することにより前記挿入棒２２と収容棒２３を固定させる。
【０１０４】
前記締結部２４は前記収容棒２３が内側で上下に移動可能になるように貫設され、内面には前記支持棒３２の外周面に形成された支持結合部３２２に締結されるネジ部２４２が形成され、下面で中心方向に突出する係止部２３２がかかる係止突起２４１が形成されるので、前記収容棒２３が前記締結部２４の内面からまったく離脱することを防止する。
【０１０５】
つぎに、連結部材について説明する。
【０１０６】
連結部材４０は、前記本体連結部３３に連結される連結線４２と、前記連結線４２の上端で弾支する弾性連結部４１とを含む。
【０１０７】
前記連結線４２は、一端が前記本体連結部３３に形成される締結孔に固定され、他端が前記弾性連結部４１の一端に連結されることで、前記減圧本体３１を支持する前記本体連結部３３を支持する。
【０１０８】
前記弾性連結部４１は螺旋形に形成されるスプリング３２１のような弾性力を持つ素材であり、下端に連結される連結線４２を弾支し、上端が後述する高さ調節板５１にかかって固定される。
【０１０９】
このように、前記連結部材４０は上体のが胸部と首部などに着用されて着用部材５０に連結されるので、前記減圧本体３１を一方向に固定して維持する。以下、図１４及び図１５を参照して着用部材５０についての説明を開示する。
【０１１０】
図１４は本発明による男性用陰茎矯正装置の着用部材の使用状態を示す正面図、図１５は本発明による男性用陰茎矯正装置の着用部材の使用状態を示す背面図である。
【０１１１】
図１４及び図１５を参照すれば、前記着用部材５０は係止具がかかる高さ調節板５１と、肩部と胸部にかけて上体にかかるベルト５２と、使用者の前面で前記ベルト５２の両端を互いに連結させる第１ロック部材５３及び第２ロック部材５５と、上体の長さ、広さによって上下に調整可能であって、両側ベルトの広さに合わせて調整されて前記第２ロック部材５５を前記ベルト５２に連結させるバックル５４と、前記バックル５４と前記第２ロック部材５５を連結させるバックル連結部５６とを含む。
【０１１２】
前記高さ調節板５１は多数の係合孔５１１が上下方向に配列され、これに前記弾性連結部４１がかかる。したがって、使用者が自身の身体サイズによって、前記弾性連結部４１が前記高さ調節板５１にかかる位置を調節することで、自身の身体に合うように調節することができる。
【０１１３】
ここで、本発明は、前記弾性連結部４１を前記高さ調節板５１にかけるに際して、そのかける位置によって陰茎に加わる伸張力の程度を調節することができるので、前述した垂直部材２０なしに着用部材５０と減圧部材３０だけで陰茎を支持することができる。
【０１１４】
前記ベルト５２は背中において肩の下側にかけられて胸部に伸びるので、両端が胸部で合うようにかけられる。これを説明すれば、図１４のように、正面では首部にかけられるベルト５２２が背中に伸びて肩の下側にかけられるので（図面符号５２３、５２４参照）胸部（図面符号５２１参照）で両端が触れ合うことになる。もちろん、前記ベルト５２は前記のように首部と胸部にかけて着用されることもできるが、首部または胸部にだけかけられて着用されることも可能である。図１４及び図１５に示す図面符号５２１、５２２、５２３、５２４のベルトは別個ではない単一のベルト５２で、現在かけられた部分によって異なる符号が付けられているものである。
【０１１５】
前記第１ロック部材５３は雌ロック部と雄ロック部が前記ベルト５２１の両端にそれぞれ設置され、前記雄ロック部が前記雌ロック部の内側に挿入されることにより、前記胸部分にかけられたベルト５２１を固定させ、前記雄ロック部の両側に設置されたボタンを押すことで簡単に解除することができる。
【０１１６】
また、本発明においては、前記のようなボタン式ロック構成を一例として説明したが、ベルクロ、ジッパー、衣服ボタン式の構成も可能である。
【０１１７】
前記バックル５４は、上体の長さ、広さによって上下に調整可能であり、両側ベルト５２の幅を適切に調整することができるように前記背中面の両肩部にかけられる両側ベルト５２にそれぞれ締結されて縦方向のベルト５２の間で横方向のバックル連結部５６が連結される。
【０１１８】
前記バックル連結部５６は前記両肩部にかけられるベルト５２にそれぞれ締結されたバックル５４に横方向に連結され、その末端に前記第２ロック部材５５が固定される。すなわち、前記バックル連結部５６は前記両肩部にかけられたベルト５２にそれぞれ締結されたバックル５４の内側方向にそれぞれ連結されるので、前記第２ロック部材５５が固定された両端が見合うように内側方向にそれぞれ連結され、その長さを調節することで、上体の長さ、広さによって上下に調整されることにより両側ベルト５２の幅が調整される。
【０１１９】
前記第２ロック部材５５は、前述したように、前記バックル連結部５６の末端にそれぞれ雌ロック部と雄ロック部が固定され、前記雄ロック部が前記雌ロック部に挿入されることにより締結される。同様に、前記第２ロック部材５５も前記のような結合構成の外に、ベルクロ、衣服ボタン、ジッパーなどによって具現可能である。
【０１２０】
本発明による男性用陰茎の矯正装置は前述したような構成を含み、以下ではその作用説明を開示する。
【０１２１】
本発明の技術的思想は、着用部材５０のみを用いて減圧部材３０を支持するか、あるいは前記着用部材５０なしに垂直部材２０のみを用いて減圧部材を着用することも可能である。しかし、発明の詳細な説明のために、着用部材５０、減圧部材３０、垂直部材２０のすべてを着用して陰茎胴体と亀頭１、２を矯正することを説明する。
【０１２２】
まず、使用者は前記第２ロック部材５５及びバックル５４で肩幅を調整した後、ベルトを肩部にかけて胸部を包みながら着用し、前記第１ロック部材５３で各自の身体に適当に引いて締結する。
【０１２３】
そして、使用者は前記湾曲部１４と前記支持突起１１の間に陰茎を挿入し、前記垂直部材２０の長さを調節して亀頭を前記減圧本体３１に収容する。この際、前記垂直部材２０は、前記挿入棒２２と収容棒２３間の長さを前記挿入固定部２５によって調節することもでき、さらに前記挿入棒２２と収容棒２３間の調節と同時にあるいは選択的に前記ベース結合棒２１の回転取っ手２１１で前記延長ネジ棒２１２を正回転または逆回転させることで前記ベース結合棒２１の長さを調節することができる。
【０１２４】
そして、使用者は亀頭２にオイル、ローションなどの滑めらかな物質を塗り、ベース部材１０、特に支持突起１１または湾曲部１４を通じて陰茎を入れ、陰茎根部にベース部材１０を密着させて水平になるようにする。
【０１２５】
そして、使用者は左手で減圧部材３０を掴み、支持棒３２のスプリング３２１が収縮するように押すことで亀頭が減圧本体３１の入口に接するようにし、右手で空気吸入ポンプ（図示せず）を吸気バルブ３５に密着させる。
【０１２６】
したがって、使用者は、亀頭２が前記減圧本体３１に亀頭が触れれば、空気吸入ポンプでポンピングして空気を吸入することで内部を真空状態に維持させる。よって、前記亀頭は前記減圧本体３１の内側に収容されて膨脹され、前記空気吸入ポンプが除去された後は前記支持棒３２のスプリング３２１が牽引する。
【０１２７】
すると、使用者は、前記亀頭２が固定された減圧部材３０と前記減圧部材３０を支持する垂直部材を垂直に立て、着用部材５０を着用し、弾性連結部４１を高さ調節板の適切な高さの係合孔にかけることで着用が完了する。
【０１２８】
また、本発明は、使用者が前記矯正装置を着用した後に陰茎が勃起するか、あるいは着用後に外部活動中に発生する衝撃による揺れの場合にも、前記収容棒２３が前記支持棒３２の内側でスプリング３２１の弾性力によって上下に遊動することができるので、状況や環境に関係なく着用可能である。さらに、前述したように、前記ベース部材１０は一部が開放した楕円形に形成されたので、使用者が座るとか立つとかしてもベース部材１０と睾丸が接触しないので、これによる活動の制約を受けない。
【０１２９】
その後、使用者は、前記陰茎の矯正状態を解除するために、前記吸気バルブ３５を開放させて前記減圧本体３１の真空状態を解除しながら亀頭２を外部に引き出す。この際、前記弾性折畳部３４は折り畳まれた状態で前記亀頭２が引き出されると同時に外部に押し出されるので、亀頭は入口の直径差と周縁部３１１の硬さにもかかわらず傷なしに容易に引き出されることができる。そして、使用者は、前記本体連結部３３に連結される連結線４２を除去し、前記第１ロック部材５３を解除して着用部材５０を脱ぐことで前記矯正装置の解除が完了する。
【０１３０】
また、本発明は、前述したように、垂直部材２０なしに着用部材５０と減圧部材３０と連結部材４０のみによる矯正が可能である。これを簡単に説明すれば、まず前記第１ロック部材５３と第２ロック部材５５を調節して身体に合うようにベルト５２の長さを調節した後、前記着用部材５０を着用する。そして、前記陰茎の亀頭２にオイルまたはローションを塗り、前記減圧本体３１を左手で掴み、前記亀頭２を引き込む。
【０１３１】
そして、使用者は、前記減圧本体３１に亀頭２が引き込まれれば、前記空気吸入装置を前記吸気バルブ３５に連結して前記減圧本体３１を真空状態にすることで前記亀頭２を膨脹させる。
【０１３２】
そして、使用者は、陰茎の亀頭２が減圧本体３１によって固定された状態で、前記着用部材５０の高さ調節板５１と弾性連結部４１の係止高さを調節すれば、使用者の陰茎を伸ばす効果が生じる。すなわち、本発明は、垂直部材２０の伸張による陰茎の伸張とともに湾曲症のような曲がり症状を矯正する機能が前記のように高さ調節板５１と弾性連結部４１の高低調節によって取り替え可能である。
【０１３３】
したがって、前記減圧本体３１に挿入された亀頭２は減圧本体内部の減圧によって膨張し、前記周縁部３１１によって亀頭２と陰茎胴体１の間がかかって離脱できなく、この際に前記弾性折畳部３４による弾支によって亀頭２が傷を受けなくなる。よって、本発明は着用部材５０による減圧本体３１の支持が可能である。また、前述したように、本発明は、前記着用部材５０なしに前記垂直部材２０と減圧部材３０とベース部材１０のみによる陰茎の矯正が可能である。
【０１３４】
図１６は本発明による男性用陰茎矯正装置の他の実施例で、収容棒の他の実施例を示す断面図である。
【０１３５】
図１６を参照すれば、本発明による男性用陰茎矯正装置は収容棒２３を下記のような他の実施例によって構成することも可能である。前記収容棒２３は、前記挿入固定部２５が一体的に形成され、前記挿入棒２２が内側に挿入される一端２３６′と、前記一端２３６′の外面に形成され、前記固定ネジ２５１が挿入されるネジ締結孔２３４′と、前記支持棒３２の内側に挿入される他端で螺合される係止部２３２′とを含む。ここで、前記収容棒２３の一端２３６′が内面にスライド溝２５３を備えることは前記一実施例と同様である。
【０１３６】
前記収容棒２３の一端２３６′は前記挿入固定部２５が一体的に形成されるので、内側に前記挿入棒２２の挿入突起２２２が締結されてスライドするスライド溝２５３（図１１及び図１２参照）が内面に形成され、外面に前記固定ネジ２５１が挿入されて前記挿入棒２２の固定孔２２１に締結されるようにネジ締結孔２３４′が形成されている。
【０１３７】
さらに、前記係止部２３２′は前記収容棒２３の他端から前記支持棒３２の内側に引き込まれて前記スプリング３２１の下側に密着される。この際、前記係止部２３２′は下側に伸びるネジ部を含み、前記収容棒２３の他側内面に形成されたネジ部２３３′に締結されて結合される。
【０１３８】
すなわち、本発明の他の実施例は、前記収容棒２３を締結部２４から分離させる場合、前記係止部２３２′を回転させて分離することで、前記収容棒２３と締結部２４の分離が容易になるようにする。さらに、前記収容棒２３は前記挿入固定部２５を一体的に形成することにより、部品構成数を減らすとともに組立てや分解の過程を一層簡素化することができる。
【０１３９】
以上説明した本発明は前述した実施例及び図面に限定されるものではなく、本発明の技術的思想を逸脱しない範囲内でさまざまな変形及び変更が可能であるのは本発明が属する技術分野で通常の知識を持った者に明らかであろう。
【符号の説明】
【０１４０】
１０：ベース部材                                    
１１：支持突起
１２：上部突出片                                    
１３：結合部
１４：湾曲部                                           
１５：水平部
１６：傾斜部                                           
２０：垂直部材
２１：ベース結合棒                                 
２２：挿入棒
２３：収容棒                                           
２４：締結部
２５：挿入固定部                                    
３０：減圧部材
３１：減圧本体                                        
３２：支持棒
３３：本体連結部                                    
３４：弾性折畳部
３５：吸気バルブ                                    
４０：連結部材
４１：弾性連結部                                    
４２：連結線
５０：着用部材                                        
５１：高さ調節板
５２：ベルト                                           
５３：第１ロック部材
５４：バックル                                        
５５：第２ロック部材
１３１：結合孔                             
２１１：回転取っ手
２１２：延長ネジ棒                                    
２１３：ベース挿入棒
２２１：固定孔                             
２２２：挿入突起
２３１：突出ネジ部                                    
２３２：係止部
２４１：係止突起                                        
２４２：ネジ部
２５１：固定ネジ                                        
２５２：固定リング
２５３：スライド溝                                    
３１１：周縁部
３２１：スプリング                                    
３３１：連結締結孔
５１１：係合孔
【図１】
0005389935.tif 000002
【図２】
0005389935.tif 000003
【図３】
0005389935.tif 000004
【図４】
0005389935.tif 000005
【図５】
0005389935.tif 000006
【図６】
0005389935.tif 000007
【図７】
0005389935.tif 000008
【図８】
0005389935.tif 000009
【図９】
0005389935.tif 000010
【図１０】
0005389935.tif 000011
【図１１】
0005389935.tif 000012
【図１２】
0005389935.tif 000013
【図１３】
0005389935.tif 000014
【図１４】
0005389935.tif 000015
【図１５】
0005389935.tif 000016
【図１６】
0005389935.tif 000017